(57)【要約】      （修正有）【課題】収納された食品を容器を破壊することなく、容器内で確実に切断できる容器を提供する。【解決手段】平面視四角形状又は平面視正方形状を有して上面に食品の入口を開口させた容器１であって、何れか一方の対角線Ｌ上に対して錯角を形成する一対の側面３ａに、錯角の頂点寄りにそれぞれ内側へ突出する突起４が形成され、入口から平面視四角形状又は平面視正方形状の食品７を収納した状態で、食品の側面に２つの突起が互い違いに当接することで、食品を自身の対角線Ｌ１が容器の対角線Ｌからずれる斜め姿勢で収納可能とした。容器の対角線上における食品の対辺巾は自身の対角巾よりも短くなり、容器の対角線に沿って刃を入れることで、収納食品を容器内で２つに確実に切断可能となる。【選択図】図３
0003217490.tif 000002
【実用新案登録請求の範囲】
【請求項１】
平面視四角形状又は平面視正方形状を有して上面に食品の入口を開口させた容器であって、
何れか一方の対角線上に対して錯角を形成する一対の側面に、前記錯角の頂点寄りにそれぞれ位置して内側へ突出する突起が形成されて、
前記入口から平面視四角形状又は平面視正方形状の前記食品を収納した状態では、前記食品の側面に前記突起が互い違いに当接することで、前記食品を自身の対角線が前記一方の対角線からずれる斜め姿勢で収納可能としたことを特徴とする容器。
【請求項２】
前記突起は、上下方向に延びる突条であることを特徴とする請求項１に記載の突起。
【請求項３】
底部に、容器自身の各対角線上に位置する×字状の溝が形成されていることを特徴とする請求項１又は２に記載の容器。
【請求項４】
請求項１乃至３の何れかに記載の容器に、平面視四角形状又は平面視正方形状の食品を収納した状態で入口が密封され、前記食品が自身の対角線からずれた位置で２つに切断されていることを特徴とする容器入り食品。
【考案の詳細な説明】
【技術分野】
【０００１】
本考案は、収納された食品を容器内で切断可能な容器及び容器内で切断された容器入り食品に関する。
【背景技術】
【０００２】
一般に、豆腐や厚揚げといった四角形状の食品を収納し、密閉した状態で販売するための容器が存在する。それら容器は、周壁上端縁より外側へフランジが設けられ、内部に食品を収納した後、容器の開口を蓋体によって閉塞し、蓋体周縁部をフランジ上面に接着することで密封される。
【０００３】
中には、収納された食品を収納容器内で小片に切断した後に密封し、開封後の手作業による切断によって食品が崩れることを極力防止する製造を指向した容器が知られている（特許文献１）。
【先行技術文献】
【特許文献】
【０００４】
【特許文献１】実用新案登録第３１９０９４３号公報
【考案の概要】
【考案が解決しようとする課題】
【０００５】
上記容器では、収納された食品を確実に切断するために、容器上方から進入するカッターの刃長を収納された食品の対辺巾よりも大きく設定し、容器を破壊しないためにフランジに切り込み溝が形成されている。ところが、この切り込み溝により、フランジと蓋体との接着面積が低減され、密閉度が低下してしまう。一方、切り込み溝を形成せず、かつ、容器を破壊することなく、収納された容器内寸と同程度の食品の切断を試みる場合、カッターの刃長は収納された食品の対辺・対角巾に相応するものとなるため、カッターによる圧迫に起因する収納された食品の変形や収納位置のわずかなずれが原因となり、完全に切断できない場合がある。
【０００６】
そこで本考案では、容器周壁上端縁のフランジと蓋体との接着面積を十分に確保した上で、収納された食品を、容器を破壊することなく容器内で確実に切断することを可能とする容器の提供、また、該容器内で２つに切断された容器入り食品の提供を目的とする。
【課題を解決するための手段】
【０００７】
上記目的を達成するために、請求項１に記載の考案は、平面視四角形状又は平面視正方形状を有して上面に食品の入口を開口させた容器であって、何れか一方の対角線上に対して錯角を形成する一対の側面に、前記錯角の頂点寄りにそれぞれ位置して内側へ突出する突起が形成されて、前記入口から平面視四角形状又は平面視正方形状の前記食品を収納した状態では、前記食品の側面に前記突起が互い違いに当接することで、前記食品を自身の対角線が前記一方の対角線からずれる斜め姿勢で収納可能としたことを特徴とする。
請求項２に記載の考案は、請求項１の構成において、突起は、上下方向に延びる突条であることを特徴とする。
請求項３に記載の考案は、請求項１又は２の容器において、底部に、容器自身の各対角線上に位置する×字状の溝が形成されていることを特徴とする。
請求項４に記載の考案は、容器入り食品であって、請求項１乃至３の何れかに記載の容器に、平面視四角形状又は平面視正方形状の食品を収納した状態で入口が密封され、前記食品が自身の対角線からずれた位置で２つに切断されていることを特徴とする。
【考案の効果】
【０００８】
請求項１に記載の考案によれば、収納された食品が自身の対角線が容器の対角線からずれる斜め姿勢で収納されることで、容器の対角線上における食品の対辺巾は自身の対角巾よりも短くなる。すなわち、容器対角線上に食品の対角巾に相応する刃長のカッターを用いても、容器の対角線に沿って刃を入れることで、容器周壁上端縁のフランジに切り込み溝を設けずとも、収納された食品を容器内で２つに確実に切断可能となる。また、切り込み溝を設けないため、フランジと蓋体の接着面積を多く設けることができ、容器を封止した際の密閉度を高くすることができる。
請求項２に記載の考案によれば、請求項１の効果に加え、確実に収納された食品を食品自身の対角線が容器の対角線からずれる斜め姿勢で収納可能となる。
請求項３に記載の考案によれば、請求項１又は２の効果に加え、収納された食品を上下方向に確実に分断可能となる。
請求項４に記載の考案によれば、容器入りの食品であって、請求項１乃至３の何れかに記載の容器に、平面視四角形状又は平面視正方形状の食品を収納した状態で入口が密封され、自身の対角線からずれた位置で２つに切断されている食品を提供可能となる。
【図面の簡単な説明】
【０００９】
【図１】容器の平面図である。
【図２】容器の側面図で、（Ａ）は短手方向から、（Ｂ）は長手方向からの側面図をそれぞれ示す。
【図３】容器に食品が収納された状態の斜視図である。
【図４】容器に食品が収納された状態の平面図である。
【考案を実施するための形態】
【００１０】
以下、本考案の実施例の形態を図面に基づいて説明する。
図１に示すように、この容器１は、平面視四角形状を有し、上面に食品の入口を開口させた容器であって、蓋体（図示せず）を接着するためのフランジ２が、周壁３上端縁に設けられている。さらに、容器１の一方の対角線Ｌ上に対して錯角を形成する一対の側面３ａ，３ａには、錯角の頂点寄りにそれぞれ位置して内側へ突出する突起４が形成されている。さらにまた、容器１の底部５には、容器自身の各対角線上に位置する×字状の溝６が形成されている。
【００１１】
図２（Ａ）に示すように、突起４は、底部５から周壁３に沿って、上面に開口させた食品の入口まで上下に延びる突条であり、フランジ２、周壁３及び底部５と滑らかにつながっている。また、底部５から下方に向け、溝６が形成されている。
図２（Ｂ）に示すように、突起４は、容器１の一方の対角線Ｌ上に対する錯角の頂点寄り、すなわち、容器１の長手側面３ａにおいて、短手側面寄りに形成されている。突起４は、フランジ２および周壁３から突起４の先端にかけてテーパ状となっている。
また、周壁３は下方に向けて、わずかにテーパ状に形成されている。
【００１２】
図３に示すように、平面視四角形状の食品７は、容器１に収納されると、底部５に支持されると共に、容器１の側面３ａ，３ａに設けられた２つの突起４と互い違いに当接することで、食品７自身の対角線Ｌ１が、容器の対角線Ｌからずれる斜め姿勢となる。
【００１３】
このように、上記形態の容器１によれば、収納される平面視四角形状の食品７は、２つの突起４と互い違いに当接することで、食品７自身の対角線Ｌ１が容器１の対角線Ｌからずれる斜め姿勢で容器１に安定して収納される。この時、図４に示すように、容器の対角線Ｌ上に位置する食品７の対辺巾Ｌ２は、食品７自身の対角線Ｌ１より短くなるため、対角線Ｌ１の長さに相応する刃長のカッター（図示せず）を用いても、容器１の一方の対角線Ｌに沿って容器１の上方から刃を進入させることで、容器１を破損することなく食品７を容器内で２つに確実に切断可能となる。加えて、食品７の底面は、容器１の底部５により支持されるため、カッターの刃を底部５を超えてわずかに溝６に進入させることで、容器を破損することなく食品７を上下方向にも確実に切断可能となる。また、溝６を×字状としたことで、容器１に対するカッターの刃の方向性を限定することがない。さらに、周壁３をテーパ状としたことで、複数の容器１を重ねた状態で保存可能となる。
【００１４】
食品７を２つに切断した後、容器１の上面に開口させた食品の入口を蓋体により閉塞し、フランジ２と蓋体を接着することで、切断された食品７を収納した状態で容器１が密封され、自身の対角線からずれた位置で２つに切断されている容器入り食品を提供可能である。
【００１５】
以上は、本考案を図示例に基づいて説明したものであり、その技術範囲はこれに限定されるものではない。例えば、収納された食品を斜め姿勢とすることができれば、容器の側面に形成された突起は、テーパ状でなくても良いし、また、上下方向に並んだ複数の突起であっても良い。他にも、容器は、平面視正方形状でも良い。
【符号の説明】
【００１６】
１・・容器、２・・フランジ、３・・周壁、３ａ・・側面、４・・突起、５・・底部、６・・溝、７・・食品。
【図１】
0003217490.tif 000003
【図２】
0003217490.tif 000004
【図３】
0003217490.tif 000005
【図４】
0003217490.tif 000006